(57)【特許請求の範囲】
【請求項１】
遊技島台に設けられる上部島枠と下部島枠との間に形成される設置空間に遊技機の外枠を固定する遊技機固定装置において、
前記遊技機固定装置のうち前記下部島枠に前記外枠の下辺部分を固定する下側遊技機固定装置は、
前記外枠の下辺部分の前面を支持する下側支持部材と、
前記外枠の下辺部分の裏面に対する前方への押圧及びその押圧解除が可能なように前記下部島枠の上面にスライド移動可能に取り付けられて、前記下側支持部材との間で前記外枠を挟持する下側押圧挟持部材と、
該下側押圧挟持部材と前記下側支持部材との間で挟持された前記外枠の下辺部分を固定する下側固定手段と、を備え、
前記下側支持部材は、前記外枠の下辺部分の前面を支持した状態と当該支持を解除した状態との間で移動可能に設けられ、
前記下側支持部材が前記外枠の支持を解除した移動状態で前記外枠の下辺部分を前記設置空間に対して前方から水平方向に着脱可能としたことを特徴とする遊技機固定装置。
【請求項２】
前記下側遊技機固定装置は、さらに、前記下側支持部材を前記下部島枠の上面で前記外枠の左右方向にスライド移動可能に取り付けるスライドレール部材を備え、
前記下側支持部材は、前記スライドレール部材に沿ってスライド移動することにより、前記外枠の下辺部分の前面を支持した状態と当該支持を解除した状態との間で移動することを特徴とする請求項１記載の遊技機固定装置。
【請求項３】
前記下側固定手段は、前記下側押圧挟持部材が前記外枠の下辺部分の裏面を押圧する方向に弾性力で付勢しながら当該下側押圧挟持部材を保持することで、前記外枠の下辺部分を固定する下側弾性固定手段から構成されることを特徴とする請求項１又は請求項２記載の遊技機固定装置。
【請求項４】
前記下側固定手段は、前記外枠の下辺部分の内側面の平坦面を押圧固定する位置と当該平坦面の押圧固定を解除する位置との間で平行移動が可能な下側押圧固定手段から構成されることを特徴とする請求項１又は請求項２記載の遊技機固定装置。
【請求項５】
前記遊技機固定装置のうち前記上部島枠に前記外枠の上辺部分を固定する上側遊技機固定装置は、
前記外枠の上辺部分の裏面を支持する上側支持部材と、
前記外枠の上辺部分の前面に対する後方への押圧及びその押圧解除が可能なように前記上部島枠の下面にスライド移動可能に取り付けられて、前記上側支持部材との間で前記外枠を挟持する上側押圧挟持部材と、
該上側押圧挟持部材と前記上側支持部材との間で挟持された前記外枠の上辺部分を固定する上側固定手段と、を備え、
前記上側押圧挟持部材は、前記外枠の上辺部分の上面と当接して配置される基板部と、該基板部の前端に断面Ｌ字状に折曲形成されて前記外枠の上辺部分の前面と当接して配置される押込部と、前記基板部の後端から突出形成されて前記上側弾性押圧保持手段と係合する係止片部と、を備えると共に、前記上部島枠に対して着脱可能に設けられ、
前記上側押圧挟持部材が前記上部島枠から取り外されて前記基板部及び前記押込部がそれぞれ前記外枠の上辺部分の上面及び前面と当接した状態で前記外枠の上辺部分を前記設置空間に対して前方から水平方向に着脱可能としたことを特徴とする請求項１乃至請求項４のいずれかに記載の遊技機固定装置。
【請求項６】
前記上側遊技機固定装置は、さらに、
前記上側支持部材、前記上側押圧挟持部材、及び前記上側固定手段を一体的に前記外枠の前後方向にスライド移動可能なように前記下部島枠の下面に取り付けるスライド移動取付板と、
該スライド移動取付板に対する前記上側支持部材、前記上側押圧挟持部材、及び前記上側固定手段のスライド移動量を調整するスライド移動調整手段と、を備えることを特徴とする請求項５記載の遊技機固定装置。
【発明の詳細な説明】
【技術分野】
【０００１】
本発明は、遊技島台に設けられる上部島枠と下部島枠との間に形成される設置空間に遊技機の外枠を固定する遊技機固定装置に関するものである。
【背景技術】
【０００２】
従来、一般に、遊技島台に列設されるパチンコ機等の遊技機は、遊技島台に設けられる長尺板状の上部島枠と下部島枠との間に形成される設置空間に設置され、この上部又は下部の島枠と遊技機を構成する木製の外枠との間で釘が打ち込まれることにより、前後方向への傾斜角度（所謂「ねかせ角度」）を付けて遊技島台に固定されるようになっていた。ところが、近年では、遊技機を機種交換するサイクルが短くなったことで、遊技機の外枠との間で島枠に釘を打ち込む機会が増加しており、島枠には、釘打ちによって生じた無数の穴が残るようになっていた。このため、新しく遊技機を入れ替えようとしても、島枠に無数の穴が残った状態となり、このような無数の穴が邪魔をして、遊技機を正確に島枠に固定することができないという問題が生じていた。
そこで、島枠を遊技機の外枠との間で釘打ちすることなく、遊技機を固定するようにしたもの（例えば、特許文献１及び特許文献２）が提案されている。特許文献１に記載の構成は、上部島枠と下部島枠との間で一側端が回転自在に軸支された回動ブラケットを備え、この回動ブラケットに側方からスライド装着された遊技機の外枠の上辺部分及び下辺部分をそれぞれ上固定ネジ及び下固定ネジによって固定するようになっている。特許文献２に記載の構成は、後端側に背面支持部材を備える一方で前端側に軸を中心として回動可能な掛け爪を備えた上部取付け装置が上部島枠の下面に取り付けられ、外枠の上辺裏面を背面支持部材で支持し、この状態から掛け爪を回動して外枠の上辺前面を係止することで、掛け爪と背面支持部材との間で外枠の上辺部分を挟持固定するようになっている。
【先行技術文献】
【特許文献】
【０００３】
【特許文献１】特開２００２−１３６７５５号公報（図６、図９）
【特許文献２】特開２００４−８１７６２号公報（図１０、図１１）
【発明の概要】
【発明が解決しようとする課題】
【０００４】
ところが、上記特許文献１の構成によれば、遊技機の外枠を側方からスライド装着する回動ブラケットの一側端を回転自在に軸支して取り付けることで、軸支側の側方には、回転用として無駄なスペースを設ける必要がある。然も、このような構成において、各遊技機（外枠）間に玉貸機を配置するような場合には、回動ブラケットを開放する際に回動ブラケットの軸支側の側端部分が玉貸機にあたって遊技機の取り付け作業あるいは取り外し作業の邪魔になり、作業性を低下させるという問題が生じる。
一方、上記特許文献２の構成によれば、上部取付け装置によって外枠を固定する場合、外枠の上辺裏面側を下方に傾けながら外枠を設置空間内に挿入し、その後、外枠の上辺裏面を背面支持部材で支持した状態から外枠を起立させることによって掛け爪を回動させて外枠の上辺前面を係止するようになっている。このため、上部島枠の下方には、上部取付け装置を取り付けるスペースに加えて、傾斜状態の外枠をその場で起立させて設置空間内に設置し得るだけのスペースを設ける必要がある。従って、上部島枠の高さ位置が遊技機（外枠）の高さ寸法よりも若干高い位置に設けられた既存の遊技島台においては、上部取付け装置を取り付けるスペースに加えて傾斜状態の外枠をその場で起立させるだけのスペースが上部島枠の下方に設けられていないため、上部取付け装置を採用して遊技機を固定することができない。然も、特許文献２の上部取付け装置には、掛け爪及び背面支持部材による外枠の挟持力を調整するための調整ツマミが設けられているが、このような構成では、遊技機を設置する作業者毎の個人差によって外枠の挟持力（保持力）がバラバラになってしまい、結果として、遊技島台に設置される全ての遊技機を均等に強い保持力で固定することが困難になってしまう。
本発明は、上記した事情に鑑みなされたもので、その目的とするところは、広い設置空間を設けることなく設置空間内への遊技機の設置を可能にすると共に遊技機の取り付け及び取り外しの作業性を高めることができ、然も、遊技島台に設置される全ての遊技機を均等に強い保持力で固定することができる遊技機固定装置を提供することにある。
【課題を解決するための手段】
【０００５】
上記した目的を達成するために、請求項１の発明においては、遊技島台に設けられる上部島枠と下部島枠との間に形成される設置空間に遊技機の外枠を固定する遊技機固定装置において、前記遊技機固定装置のうち前記下部島枠に前記外枠の下辺部分を固定する下側遊技機固定装置は、前記外枠の下辺部分の前面を支持する下側支持部材と、前記外枠の下辺部分の裏面に対する前方への押圧及びその押圧解除が可能なように前記下部島枠の上面にスライド移動可能に取り付けられて、前記下側支持部材との間で前記外枠を挟持する下側押圧挟持部材と、該下側押圧挟持部材と前記下側支持部材との間で挟持された前記外枠の下辺部分を固定する下側固定手段と、を備え、前記下側支持部材は、前記外枠の下辺部分の前面を支持した状態と当該支持を解除した状態との間で移動可能に設けられ、前記下側支持部材が前記外枠の支持を解除した移動状態で前記外枠の下辺部分を前記設置空間に対して前方から水平方向に着脱可能としたことを特徴とする。
【０００６】
また、請求項２の発明においては、請求項１記載の遊技機固定装置において、前記下側遊技機固定装置は、さらに、前記下側支持部材を前記下部島枠の上面で前記外枠の左右方向にスライド移動可能に取り付けるスライドレール部材を備え、前記下側支持部材は、前記スライドレール部材に沿ってスライド移動することにより、前記外枠の下辺部分の前面を支持した状態と当該支持を解除した状態との間で移動することを特徴とする。
【０００７】
また、請求項３の発明においては、請求項１又は請求項２記載の遊技機固定装置において、前記下側固定手段は、前記下側押圧挟持部材が前記外枠の下辺部分の裏面を押圧する方向に弾性力で付勢しながら当該下側押圧挟持部材を保持することで、前記外枠の下辺部分を固定する下側弾性固定手段から構成されることを特徴とする。
【０００８】
また、請求項４の発明においては、請求項１又は請求項２記載の遊技機固定装置において、前記下側固定手段は、前記外枠の下辺部分の内側面の平坦面を押圧固定する位置と当該平坦面の押圧固定を解除する位置との間で平行移動が可能な下側押圧固定手段から構成されることを特徴とする。
【０００９】
また、請求項５の発明においては、請求項１乃至請求項４のいずれかに記載の遊技機固定装置において、前記遊技機固定装置のうち前記上部島枠に前記外枠の上辺部分を固定する上側遊技機固定装置は、前記外枠の上辺部分の裏面を支持する上側支持部材と、前記外枠の上辺部分の前面に対する後方への押圧及びその押圧解除が可能なように前記上部島枠の下面にスライド移動可能に取り付けられて、前記上側支持部材との間で前記外枠を挟持する上側押圧挟持部材と、該上側押圧挟持部材と前記上側支持部材との間で挟持された前記外枠の上辺部分を固定する上側固定手段と、を備え、前記上側押圧挟持部材は、前記外枠の上辺部分の上面と当接して配置される基板部と、該基板部の前端に断面Ｌ字状に折曲形成されて前記外枠の上辺部分の前面と当接して配置される押込部と、前記基板部の後端から突出形成されて前記上側弾性押圧保持手段と係合する係止片部と、を備えると共に、前記上部島枠に対して着脱可能に設けられ、前記上側押圧挟持部材が前記上部島枠から取り外されて前記基板部及び前記押込部がそれぞれ前記外枠の上辺部分の上面及び前面と当接した状態で前記外枠の上辺部分を前記設置空間に対して前方から水平方向に着脱可能としたことを特徴とする。
【００１０】
また、請求項６の発明においては、請求項５記載の遊技機固定装置において、前記上側遊技機固定装置は、さらに、前記上側支持部材、前記上側押圧挟持部材、及び前記上側固定手段を一体的に前記外枠の前後方向にスライド移動可能なように前記下部島枠の下面に取り付けるスライド移動取付板と、該スライド移動取付板に対する前記上側支持部材、前記上側押圧挟持部材、及び前記上側固定手段のスライド移動量を調整するスライド移動調整手段と、を備える。
【発明の効果】
【００１１】
請求項１の発明においては、遊技機（外枠）を設置空間内に設置する場合、先ず、外枠の下辺前面の支持を解除した状態に下側支持部材を移動させてから、外枠を設置空間に対して前方から水平方向に挿入する。そして、外枠が設置空間内に配置された状態で、外枠の下辺前面を支持するように下側支持部材を移動し、次いで、外枠の下辺裏面を前方へ押圧するように下側押圧挟持部材をスライド移動させて下側支持部材と下側押圧挟持部材との間で外枠を挟持する。これにより、一側端が回転自在に軸支された回動ブラケットに外枠を装着したり、傾斜状態の外枠をその場で起立させて設置空間内に設置する必要がないので、広い設置空間を設けることなく設置空間内への遊技機の設置を可能にすると共に遊技機の取り付け及び取り外しの作業性を高めることができる。また、下側支持部材と下側押圧挟持部材との間で挟持された外枠の下辺部分は、下側固定手段によって固定されるので、遊技島台に設置される全ての遊技機を均等に強い保持力で固定することができる。
【００１２】
また、請求項２の発明においては、下側支持部材を下部島枠の上面で外枠の左右方向にスライド移動可能に取り付けるスライドレール部材を備えることで、外枠の下辺前面を支持した状態と当該支持を解除した状態との間で下側支持部材を移動する構成を簡単な構造で具現化することができる。
【００１３】
また、請求項３の発明においては、下側押圧挟持部材が外枠の下辺部分の裏面を押圧する方向に弾性力で付勢しながら当該下側押圧挟持部材を保持する下側弾性固定手段によって下側固定手段を構成する。これにより、下側支持部材と下側押圧挟持部材との間で外枠を挟持した状態において、下側押圧挟持部材は、下側弾性固定手段によって外枠の下辺裏面を押圧する方向に付勢されながら保持されるので、遊技島台に設置される全ての遊技機を均等に強い保持力で固定することができる。
【００１４】
また、請求項４の発明においては、外枠の下辺部分の内側面の平坦面を押圧固定する位置と当該平坦面の押圧固定を解除する位置との間で平行移動が可能な下側押圧固定手段によって下側固定手段を構成する。これにより、下側支持部材と下側押圧挟持部材との間で外枠を挟持した状態において、下側押圧固定手段で外枠の下辺部分の内側面の平坦面を押圧固定することができるので、遊技島台に設置される遊技機を強い保持力で固定することができる。
【００１５】
また、請求項５の発明においては、下側支持部材、下側押圧挟持部材、及び下側固定手段によって外枠の下辺部分を挟持固定する構成に加えて、上側支持部材、上側押圧挟持部材、及び上側固定手段によって外枠の上辺部分も同時に挟持固定する構成にできる。例えば、外枠の上辺上面に対して下方への押圧力を加えることで遊技機の上側部分を固定する構成では、遊技機の前面に設けられる開閉扉を開閉する毎に外枠の上辺上面を押圧する箇所が微妙にずれていき、遊技機の保持力が徐々に弱まっていく傾向にあるが、請求項５の構成によれば、外枠の上辺部分を前後方向で挟持固定することで、開閉扉の開閉に伴う保持力の低下を抑制することができる。また、外枠の上辺前面を後方へ押圧する上側押圧挟持部材は、上部島枠に対して着脱可能に設けられるので、外枠の下辺部分に加えて外枠の上辺部分も同時に挟持固定する構成としても、設置空間に対して外枠を前方から水平方向に着脱可能となり、広い設置空間を設けることなく設置空間内への遊技機の設置を可能にすると共に遊技機の取り付け及び取り外しの作業性を高めることができる。
【００１６】
また、請求項６の発明においては、スライド移動取付板を介して、上側支持部材、上側押圧挟持部材、及び上側固定手段を一体的に外枠の前後方向にスライド移動可能に取り付けると共に、スライド移動調整手段によって上側支持部材、上側押圧挟持部材、及び上側固定手段のスライド移動量を調整可能に設ける。これにより、上側支持部材、上側押圧挟持部材、及び上側固定手段によって挟持固定された外枠の上辺部分を前後方向にスライド移動させることで、遊技機の傾斜角度を調整することができる。
【図面の簡単な説明】
【００１７】
【図１】遊技島台の内部構造の一部と玉貸機、外枠、及び間仕切りを示す斜視図である。
【図２】遊技島台の内部構造の一部と玉貸機、外枠、及び間仕切りを示す分解斜視図である。
【図３】外枠と上側及び下側の各遊技機固定装置とを示す側面図である。
【図４】外枠と上側及び下側の各遊技機固定装置とを示す側面図である。
【図５】下側遊技機固定装置を構成する外枠押込機構を示す斜視図である。
【図６】外枠押込機構を示す縦断面図である。
【図７】上側遊技機固定装置を示す分解斜視図である。
【図８】同図（Ａ），（Ｂ）はそれぞれ上側遊技機固定装置を示す斜視図である。
【図９】変形例における上側遊技機固定装置が設けられる遊技島台の内部構造を示す分解斜視図である。
【図１０】変形例における上側遊技機固定装置を示す分解斜視図である。
【図１１】同図（Ａ）は変形例における上側遊技機固定装置を示す斜視図であり、同図（Ｂ）は変形例における上側遊技機固定装置を示す斜視図である。
【図１２】変形例における下側遊技機固定装置による外枠の固定方法を示す説明図である。
【図１３】変形例における下側遊技機固定装置による外枠の固定方法を示す説明図である。
【図１４】変形例における外枠押込機構が取り付けられた遊技島台を示す斜視図である。
【図１５】変形例における外枠押込機構を示す斜視図である。
【発明を実施するための形態】
【００１８】
以下、図面を参照して本発明の実施形態について説明する。先ず、図１及び図２を参照して、本実施形態に係る遊技島台１の概略構成について説明する。図１は、遊技島台１の内部構造の一部と玉貸機２、外枠９、及び間仕切り８を示す斜視図である。図２は、遊技島台１の内部構造の一部と玉貸機２、外枠９、及び間仕切り８を示す分解斜視図である。
【００１９】
図１及び図２に示すように、遊技島台１には、複数の遊技機（図示しない）を取り付けるための上部島枠４と、下部島枠５と、がそれぞれ遊技機の高さ寸法とほぼ同一の間隔をあけて当該遊技島台１の長手方向に沿って掛け渡されている。下部島枠５の前端側は、遊技者が玉箱などを載置するためのいわゆるカウンター板６として突設されている。上部島枠４は、遊技機の上方に配置される図示しない補給樋などを覆い隠すための幕板（図示しない）が取り付けられる固定枠のうちの下側の枠としての機能を兼ね備えている。下部島枠５の下方には、遊技島台１で循環使用されるパチンコ玉を貯留するための図示しない貯留タンクなどを覆い隠すための腰板（図示しない）が取り付けられる。
【００２０】
上部島枠４と下部島枠５との間には、複数の遊技機間で所定の間隔を設けるための複数の間仕切り８が、遊技機の横幅寸法に当該遊技機に隣接されてパチンコ玉の貸し出しを制御する玉貸機２の横幅寸法を加えた値とほぼ同一の間隔をあけて取り付けられている。そして、上部島枠４、下部島枠５、及び隣接する２本の間仕切り８によって区画された空間が１台の遊技機を設置するための設置空間１０として構成されている。なお、図１及び図２中には、木製材料から形成されて遊技機内枠（図示しない本体枠や遊技盤から構成される部材）の外周部分を覆う矩形状の外枠９と、該外枠９の下辺前端に取り付けられる装飾カバー板１１と、外枠９の一側上下に取り付けられて本体枠を外枠９に対して開閉自在に軸支する金属製の上下の各開閉軸１２，１３と、遊技機（外枠９）に隣接して設けられる玉貸機２と、が設置空間１０に取り付けられた状態を図示している。また、遊技機は、装飾カバー板１１及び開閉軸１２，１３が取り付けられた外枠９と、該外枠９内に取り付けられる遊技機内枠とから構成されるものである。
【００２１】
また、設置空間１０を区画形成する下部島枠５には、遊技機を当該設置空間１０内に固定するための下側遊技機固定装置２０（遊技機固定装置）が左右２箇所に取り付けられている。一方、設置空間１０を区画形成する上部島枠４には、傾斜角度（ねかせ角度）を調整可能に遊技機を当該設置空間１０内に固定するための上側遊技機固定装置４０（遊技機固定装置）が左右２箇所に取り付けられている。なお、下側遊技機固定装置２０は、下部島枠５の上面に固定された支承板７を介して下部島枠５に取り付けられるようになっている。
【００２２】
次に、下側遊技機固定装置２０の構成について、図３乃至図６を参照して説明する。図３は、外枠９と上側及び下側の各遊技機固定装置４０，２０とを示す側面図である。図４は、外枠９と上側及び下側の各遊技機固定装置４０，２０とを示す側面図である。図５は、下側遊技機固定装置２０を構成する外枠押込機構２２を示す斜視図である。図６は、外枠押込機構２２を示す縦断面図である。
【００２３】
図３及び図４に示すように、下側遊技機固定装置２０は、下部島枠５上に固定された支承板７の前端に設けられて外枠９の下辺前端に取り付けられた装飾カバー板１１の前面を支持する外枠支持機構２１と、支承板７の後端側の上面に設けられて外枠９の下辺後端を前方に押し込む外枠押込機構２２と、から構成されている。外枠支持機構２１は、横長方形状に形成された金属製の支持板２３（下側支持部材）と、該支持板２３を外枠９の左右方向にスライド移動可能に支承板７の前端に取り付けるスライドレール部材２４と、を備えている。スライドレール部材２４には、支持板２３に設けられた係合凸部２５を内嵌する嵌合溝２６が長手方向に沿って条設されており、当該嵌合溝２６内への係合凸部２５の内嵌によって支持板２３を嵌合溝２６の条設方向となる外枠９の左右方向にスライド移動可能に取り付けるようになっている。
【００２４】
一方、外枠押込機構２２は、図５及び図６に示すように、支承板７の後端上面に取り付け固定（例えば、ビス止め等）されるベース板３０と、該ベース板３０の上面に取り付けられる下側固定手段（下側弾性固定手段）としてのクランプ部材３１と、ベース板３０にスライド移動可能に取り付けられて外枠９の下辺後端を押し込む下側押圧挟持部材としてのスライド押込板３２と、を備えている。クランプ部材３１は、ベース板３０上に支軸３３を中心として回動自在に取り付けられた連結部材３４（下側固定手段、下側弾性固定手段）を介してベース板３０の上面に取り付けられるようになっており、支軸３３によって取り付けられた連結部材３４の一端部とは反対側となる連結部材３４の他端部に支軸３５を中心として回動自在にクランプ部材３１が取り付けられる。
【００２５】
なお、支軸３５を介してクランプ部材３１を取り付ける連結部材３４の軸取付穴（図示しない）は、連結部材３４の長手方向に沿った長穴形状に形成されている。これにより、クランプ部材３１は、連結部材３４に形成された軸取付穴の穿設方向（連結部材３４の長手方向）に沿ってスライド移動可能となっており、このようなスライド移動を規制すべくクランプ部材３１と連結部材３４との間には、クランプ部材３１を常時、連結部材３４の他端方向（図６に示す左方向）に付勢するスライド規制バネ３６（下側固定手段、下側弾性固定手段）が設けられている。また、支軸３５が設けられたクランプ部材３１の一端部とは反対側となるクランプ部材３１の他端部には、後述するスライド押込板３２の係止穴３９ａと係合する係合爪３７が形成されており、支軸３５が設けられたクランプ部材３１の一端部は、係合爪３７を係止穴３９ａに係合させた状態でベース板３０に対するスライド押込板３２のスライド移動を保持する、言い換えればベース板３０に対してスライド押込板３２をクランプするクランプ操作部３８として形成されている。
【００２６】
スライド押込板３２は、長板形状の金属板からなると共に、ベース板３０に設けられた挿通穴３０ａを挿通して取り付けられることで、クランプ部材３１及び連結部材３４の長手方向に沿ってスライド移動可能に設けられている。スライド押込板３２の一端部は、断面Ｌ字状に折曲されて外枠９の下辺後端を押し込む押込部３２ａとして形成されている。一方、スライド押込板３２の他端部には、クランプ部材３１の係合爪３７と係合する係止穴３９ａを形成した係止片３９（下側固定手段、下側弾性固定手段）が一体的に設けられている。
【００２７】
しかして、以上説明した下側遊技機固定装置２０によって外枠９の下側部分を設置空間１０内に固定する場合、先ず、外枠９を設置空間１０の前方から挿し入れる（図３参照）。このとき、支持板２３は、外枠９の設置空間１０内への挿入を阻害しない位置、即ち、外枠９を設置する設置空間１０の前方以外となる位置にスライド移動されている。また、外枠押込機構２２は、クランプ部材３１によるスライド押込板３２のクランプを解除した状態にある。その後、設置空間１０内への外枠９の挿入が完了すると、外枠９の裏面側に配置された外枠押込機構２２の前方位置に支持板２３をスライド移動させて、支持板２３の裏面が外枠９に設けられた装飾カバー板１１の前面と当接するようにする。
【００２８】
そして、押込部３２ａが外枠９の下辺裏面と当接する位置までスライド押込板３２をスライド移動させ、この状態で、クランプ部材３１の係合爪３７をスライド押込板３２の係止穴３９ａに係合させてクランプ操作部３８を押圧操作することで、外枠９の下辺裏面を押圧する方向にスライド規制バネ３６の弾性力で付勢しながらスライド押込板３２をクランプする。これにより、支持板２３とスライド押込板３２の押込部３２ａとの間で外枠９の下辺を挟持固定する。
【００２９】
次に、上側遊技機固定装置４０の構成について、図７及び図８を参照して説明する。図７は、上側遊技機固定装置４０を示す分解斜視図である。図８（Ａ），（Ｂ）は、それぞれ上側遊技機固定装置４０を示す斜視図である。なお、上側遊技機固定装置４０は、前述した下側遊技機固定装置２０と同様の機能を有する構成部材（クランプ部材）を備えており、その構成部材の詳細については便宜的に省略する。また、図７及び図８を参照した以下の説明では、上側遊技機固定装置４０を構成するベース板４１の上方に、上側遊技機固定装置４０を構成するクランプ部材４３が配された状態で説明を行うものであるが、実際に上側遊技機固定装置４０を上部島枠４に取り付ける際には、ベース板４１の下方にクランプ部材４３が配された状態で上側遊技機固定装置４０の取り付けが行われるものである（図３参照）。
【００３０】
図７に示すように、上側遊技機固定装置４０は、上部島枠４の後端下面に取り付け固定（例えば、ビス止め等）されるスライド移動取付板としてのベース板４１と、該ベース板４１に対してスライド移動可能に取り付けられる上側支持部材としてのスライド板４２と、該スライド板４２の上面に取り付けられる上側固定手段としてのクランプ部材４３と、外枠９の上辺前端面を後方に押し込む上側押圧挟持部材としての外枠押込板４４と、を備えている。ベース板４１は、長方形状の金属板からなり、その短手方向の両端には、それぞれスライド板４２をスライド移動可能に取り付けるためのスライド係合凹部４５が折曲形成されている。また、ベース板４１の長手方向の一端には、回転取付部４６ａを穿設した取付フランジ４６（スライド移動調整手段）が立設されており、該取付フランジ４６の回転取付部４６ａには、ベース板４１に対してスライド板４２をスライド操作するためのスライド移動軸４７（スライド移動調整手段）の後端側が回転自在に取り付けられている。スライド移動軸４７は、後述するスライド板４２のネジ穴４８ａと螺合する雄ネジ部４７ａが形成されたボルトから構成され、その後端部分には、当該スライド移動軸４７を回転操作するための操作部４７ｂが設けられている。
【００３１】
スライド板４２は、その後端側（スライド板４２をベース板４１に取り付けた状態でスライド移動軸４７と対向する側）にクランプ部材４３が取り付けられ、該クランプ部材４３の取付箇所と隣接する位置には、雄ネジ部４７ａの先端側を螺合するネジ穴４８ａが穿設されたスライド係合片４８（スライド移動調整手段）が立設されている。一方、スライド板４２の前側には、外枠９の上辺後端面を支持する左右の支持部４９ａ，４９ｂが立設されており、支持部４９ａ，４９ｂ間に設けられた間隙は、外枠押込板４４を挿通するための挿通部５０を形成している。なお、スライド板４２に取り付けられるクランプ部材４３は、前述の下側遊技機固定装置２０を構成するクランプ部材３１と同様に、図示しない連結部材及びスライド規制バネを介してスライド板４２の上面に回動自在に取り付けられており、その一端部は、スライド板４２に対して外枠押込板４４をクランプするクランプ操作部５１として形成されている一方、他端部には、後述する外枠押込板４４の係止穴５５ａと係合する図示しない係合爪が形成されている。
【００３２】
外枠押込板４４は、外枠９の上辺上面と当接した状態で配される横長方形状の基板部５２と、該基板部５２の後端から突出形成されてスライド板４２の挿通部５０を挿通した状態で配される長板部５３と、を有するほぼＴ字形状の金属板から構成される。基板部５２の前端には、断面Ｌ字状に折曲されて外枠９を後方に押し込む押込部５４が形成されている。一方、長板部５３の後端には、クランプ部材４３の係合爪と係合する係止穴５５ａを穿設した係止片部５５が折曲形成されている。
【００３３】
次に、以上説明した上側遊技機固定装置４０によって遊技機（外枠９）を設置空間１０内で傾斜角度の調整を可能に固定する手順について説明する。なお、上側遊技機固定装置４０による外枠９の固定作業は、前述した下側遊技機固定装置２０による外枠９の固定作業が完了した後に行われるものである。但し、下側遊技機固定装置２０による外枠９の固定作業において、外枠９を設置空間１０の前方から挿し入れる際、外枠９の上辺部分の上面には、基板部５２を当接させた状態で外枠押込板４４がセットされるものである（図２参照）。
【００３４】
そして、外枠９の設置空間１０内への挿入に伴って、外枠９の上辺にセットされた外枠押込板４４の長板部５３をスライド板４２の挿通部５０に挿通し、長板部５３の先端（後端）側に設けられた係止穴５５ａに対して、クランプ部材４３の係合爪（図示しない）を係合させた状態でクランプ操作部５１を押圧操作する。これにより、外枠押込板４４をクランプ部材４３でクランプして、スライド板４２の支持部４９ａ，４９ｂと外枠押込板４４の押込部５４との間で外枠９の上辺を挟持固定する。
【００３５】
その後、上記したようにスライド板４２と外枠押込板４４との間で外枠９の上辺部分を固定した状態（図８（Ａ）に示す状態）から、ベース板４１に設けたスライド移動軸４７の操作部４７ｂを回転操作することによって、スライド板４２のスライド係合片４８に穿設されたネジ穴４８ａに対して雄ネジ部４７ａを捻じ込み又は捻じ込み解除する。これにより、ベース板４１に対してスライド板４２が前後方向にスライド移動するので（図８（Ｂ）参照）、スライド板４２と外枠押込板４４との間で挟持固定された遊技機（外枠９）は、前述したように下側部分が下側遊技機固定装置２０によって固定された状態で、上側部分が上側遊技機固定装置４０によって前後方向にスライド移動することになり、これによって、前後方向への傾斜角度（ねかせ角度）が調整されるようになっている。
【００３６】
なお、上記した実施形態では、１台の遊技機に対して上側遊技機固定装置４０を２つ設けることで、遊技機（外枠９）の上側部分の固定を行う構成としてるが、この構成に限定するものではなく、１台の遊技機に対して１つの上側遊技機固定装置で固定するようにしてもよい。以下、この構成を変形例として図９乃至図１１を参照して説明する。図９は、変形例における上側遊技機固定装置６０が設けられる遊技島台１’の内部構造を示す分解斜視図である。図１０は、変形例における上側遊技機固定装置６０を示す分解斜視図である。図１１（Ａ）は、変形例における上側遊技機固定装置６０を示す斜視図である。図１１（Ｂ）は、変形例における上側遊技機固定装置６０を示す斜視図である。
【００３７】
図９に示すように、変形例の上側遊技機固定装置６０が設けられる遊技島台１’は、前述した上側遊技機固定装置４０が設けられる遊技島台１と同様に、上部島枠４、下部島枠５、及び隣接する２本の間仕切り８によって区画された空間が１台の遊技機を設置するための設置空間１０として構成されており、設置空間１０を区画形成する下部島枠５には、遊技機を当該設置空間１０内に固定するための下側遊技機固定装置２０が左右２箇所に取り付けられている。一方、設置空間１０を区画形成する上部島枠４には、傾斜角度（ねかせ角度）を調整可能に遊技機を当該設置空間１０内に固定するための上側遊技機固定装置６０が１箇所に取り付けられている。
【００３８】
上側遊技機固定装置６０は、図１０に示すように、上部島枠６の後端下面に取り付け固定（例えば、ビス止め等）されるベース板６１と、該ベース板６１に対してスライド移動可能に取り付けられるスライド板６２と、該スライド板６２の上面に取り付けられる左右一対のクランプ部材６３，６３と、外枠９の上辺前端面を後方に押し込む外枠押込板６４と、を備えている。ベース板６１は、長方形状の金属板からなり、その長手方向の両端には、それぞれスライド板６２をスライド移動可能に取り付けるためのスライド係合凹部６５が折曲形成されている。また、ベース板６１の短手方向の一端中央には、回転取付部６６ａを穿設した取付フランジ６６が立設されており、該取付フランジ６６の回転取付部６６ａには、ベース板６１に対してスライド板６２をスライド操作するためのスライド移動軸６７の後端側が回転自在にが取り付けられている。スライド移動軸６７は、後述するスライド板６２のネジ穴６８ａと螺合する雄ネジ部６７ａが形成されたボルトから構成され、その後端部分には、当該スライド移動軸６７を回転操作するための操作部６７ｂが設けられている。
【００３９】
スライド板６２は、その後端側（スライド板６２をベース板６１に取り付けた状態でスライド移動軸６７と対向する側）にクランプ部材６３が左右２箇所に取り付けられ、各クランプ部材６３，６３間には、雄ネジ部６７ａの先端側を螺合するネジ穴６８ａが穿設されたスライド係合片６８が立設されている。一方、スライド係合片６８の前方位置となるスライド板６２の前側には、外枠９の上辺後端面を支持する支持部６９が立設されている。なお、スライド板６２に取り付けられるクランプ部材６３は、前述の上側遊技機固定装置４０を構成するクランプ部材４３と同様に、図示しない連結部材及びスライド規制バネを介してスライド板６２の上面に回動自在に取り付けられており、その一端部は、スライド板６２に対して外枠押込板６４をクランプするクランプ操作部７１として形成されている一方、他端部には、後述する外枠押込板６４の係止穴７５ａと係合する図示しない係合爪が形成されている。
【００４０】
外枠押込板６４は、外枠９の上辺上面と当接した状態で配される横長方形状の基板部７２と、該基板部７２の後端の両側端位置から個々に突出形成される左右一対の長板部７３，７３と、を有する凹形状の金属板から構成される。基板部７２の前端には、断面Ｌ字状に折曲されて外枠９を後方に押し込む押込部７４が形成されている。一方、長板部７３の後端には、クランプ部材６３の係合爪と係合する係止穴７５ａを穿設した係止片部７５が折曲形成されている。
【００４１】
次に、以上説明した上側遊技機固定装置６０によって遊技機（外枠９）を設置空間１０内で傾斜角度の調整を可能に固定する手順について説明する。なお、上側遊技機固定装置６０による外枠９の固定作業は、前述した上側遊技機固定装置４０と同様に、下側遊技機固定装置２０による外枠９の固定作業が完了した後に行われるものであり、下側遊技機固定装置２０による外枠９の固定作業において、外枠９を設置空間１０の前方から挿し入れる際、外枠９の上辺部分の上面には、基板部７２を当接させた状態で外枠押込板６４がセットされるものである（図９参照）。
【００４２】
そして、外枠９の設置空間１０内への挿入に伴って、外枠９の上辺にセットされた外枠押込板６４の長板部７３，７３をそれぞれスライド板６２の支持部６９の両側方に通し、長板部７３，７３の各先端（後端）側に設けられた係止穴７５ａ，７５ａに対して、それぞれ左右のクランプ部材６３，６３の係合爪（図示しない）を係合させた状態で各クランプ操作部７１，７１を押圧操作する。これにより、外枠押込板６４を左右のクランプ部材６３，６３でクランプして、スライド板６２の支持部６９と外枠押込板６４の押込部７４との間で外枠９の上辺を挟持固定する。
【００４３】
その後、上記したようにスライド板６２と外枠押込板６４との間で外枠９の上辺部分を固定した状態から（図１１（Ａ）に示す状態）、ベース板６１に設けたスライド移動軸６７の操作部６７ｂを回転操作することによって、スライド板６２のスライド係合片６８に穿設されたネジ穴６８ａに対して雄ネジ部６７ａを捻じ込み又は捻じ込み解除する。これにより、ベース板６１に対してスライド板６２が前後方向にスライド移動するので（図１１（Ｂ）参照）、スライド板６２と外枠押込板６４との間で挟持固定された遊技機（外枠９）は、前述したように下側部分が下側遊技機固定装置２０によって固定された状態で、上側部分が上側遊技機固定装置６０によって前後方向にスライド移動することになり、これによって、前後方向への傾斜角度（ねかせ角度）が調整されるようになっている。
【００４４】
また、前述した下側遊技機固定装置２０は、ベース板３０、クランプ部材３１、及びスライド押込板３２からなる外枠押込機構２２と、支持板２３及びスライドレール部材２４からなる外枠支持機構２１と、から構成されているが、この構成に限定するものではない。以下に変形例における下側遊技機固定装置２０’の構成について、図１２及び図１３を参照して説明する。図１２及び図１３は、それぞれ変形例における下側遊技機固定装置２０’による外枠９の固定方法を示す説明図である。なお、下側遊技機固定装置２０’を構成する外枠押込機構は、下側遊技機固定装置２０の外枠押込機構２２と同一の部材からなるため、その詳細な説明を省略する。
【００４５】
図１２及び図１３に示すように、下側遊技機固定装置２０’は、ベース板３０、クランプ部材３１、及びスライド押込板３２からなる外枠押込機構２２と、外枠支持機構を構成する回転支持板８０と、該回転支持板８０及び外枠押込機構２２を一体化して取り付ける立方体形状のユニット筐体８１と、を備えている。外枠押込機構２２は、ベース板３０がユニット筐体８１の後端上面に取り付け固定（例えば、ビス止め等）されることにより、クランプ部材３１によるクランプを解除した状態で、スライド押込板３２がユニット筐体８１に対して前後方向にスライド移動可能に取り付けられている。
【００４６】
回転支持板８０は、ユニット筐体８１の前端上面に穿設された取付凹部８２内で支軸８３を中心に回転可能に取り付けられている。また、支軸８３を中心とした回転支持板８０の回転一端側（後端側）は、下方に湾曲して形成されてスライド押込板３２の押込部３２ａと係合する係合部８４を構成している。一方、支軸８３を中心とした回転支持板８０の回転他端側（先端側）は、上方に直角に折曲されて外枠９の下辺前面と当接する当接支持部８５を構成している。
【００４７】
しかして、下側遊技機固定装置２０’は、ユニット筐体８１が外枠９の取付位置と対応する下部島枠５の上面に固定されることで遊技島台１に取り付けられる。そして、図１２に示す状態から、押込部３２ａが外枠９の下辺裏面と当接する位置までスライド押込板３２をスライド移動させ、この状態で、クランプ部材３１の係合爪３７をスライド押込板３２の係止穴３９ａに係合させてクランプ操作部３８を押圧操作することで、外枠９の下辺裏面を押圧する方向にスライド規制バネ３６の弾性力で付勢しながらスライド押込板３２をクランプする。このとき、回転支持板８０は、図１３に示すように、係合部８４が前方にスライド移動されるスライド押込板３２の押込部３２ａと係合することで、当接支持部８５が支軸８３を中心として上昇する方向に回転して外枠９の下辺前面と当接する。これにより、回転支持板８０の当接支持部８５とスライド押込板３２の押込部３２ａとの間で外枠９の下辺を挟持固定する。
【００４８】
また、下側遊技機固定装置を構成する外枠押込機構についても、前述したスライド規制バネ３６を備えた外枠押込機構２２に限定するものではなく、以下に示す外枠押込機構１００の構成としてもよい。外枠押込機構１００について図１４及び図１５を参照して説明する。図１４は、変形例における外枠押込機構１００が取り付けられた遊技島台１を示す斜視図である。図１５は、変形例における外枠押込機構１００を示す斜視図である。
【００４９】
図１４及び図１５に示すように、外枠押込機構１００は、支承板７の上面にビス止めされる取付ベース１０１と、該取付ベース１０１にスライド移動可能に取り付けられる下側押圧挟持部材としてのスライド部材１０２と、該スライド部材１０２に取り付けられて外枠９の下辺部分の上面を下方に押圧して固定する押圧固定部材１０３（下側固定手段、下側押圧固定手段）と、を備えている。取付ベース１０１は、断面Ｌ字状に折曲された金属板から構成されている。取付ベース１０１の底壁面１０１ａには、取付ベース１０１を支承板７にビス止めするための取付穴（図示しない）が穿設され、底壁面１０１ａの両端には、それぞれスライド部材１０２をスライド移動可能に取り付けるための取付凹部１０５を形成するための金属片１０６ａ，１０６ｂがボルト１０７で取り付けられている。一方、取付ベース１０１の立壁面１０１ｂには、ネジ穴１０８が穿設されており、該ネジ穴１０８には、取付ベース１０１に対してスライド部材１０２をスライド操作するためのスライド移動軸１０９が取り付けられている。スライド移動軸１０９は、ネジ穴１０８と螺合する雄ネジ部１０９ａが形成されたボルトから構成され、その後端には、当該スライド移動軸１０９を回転操作するための操作部１０９ｂが設けられている。
【００５０】
スライド部材１０２は、金属板が折曲されて、左右の側壁面１１０、上壁面１１１、及び後壁面１１２を備えた立方体形状に形成されている。左右の側壁面１１０の下端には、それぞれ前述した取付ベース１０１の取付凹部１０５内に嵌入されてスライド部材１０２を取付ベース１０１に対してスライド移動可能に取り付ける取付凸部１１３が外方に突出形成されている。なお、左右の側壁面１１０の前端部分は、それぞれ外枠押込機構１００によって外枠９を固定する際、外枠９の下辺部分の後端面と当接する当接部１１０ａを構成している。上壁面１１１は、後方から前方に向けた下り傾斜面に形成され、そのほぼ中央部分には、後述する平行移動軸１２０を取り付けるためのネジ穴（図示しない）が穿設されている。後壁面１１２には、スライド移動軸１０９の前端に設けられた前後一対のナット（図示しない）によってスライド移動軸１０９を回転自在に取り付ける取付切欠部１１５が穿設されている。
【００５１】
そして、スライド部材１０２は、支承板７上にビス止めされた取付ベース１０１の取付凹部１０５に取付凸部１１３が内嵌して取り付けられることで、支承板７上で前後方向にスライド移動可能に設けられる。また、このような取付状態において、スライド部材１０２の上壁面１１１は、水平面となる支承板７の上面に対して後方から前方に向けた下り傾斜面として配置される。
【００５２】
押圧固定部材１０３は、金属板が折曲されて、左右の側壁面１１６及び上壁面１１７を備えた断面凹形状に形成されている。左右の側壁面１１６は、それぞれスライド部材１０２の左右の側壁面１１０を個々に外嵌する形状に形成されている。上壁面１１７は、そのほぼ中央部分に取付穴（図示しない）が穿設されており、該取付穴には、ナット（図示しない）によって平行移動軸１２０の上端部分が回転自在に取り付けられている。平行移動軸１２０は、スライド部材１０２のネジ穴と螺合する雄ネジ部が形成されたボルトから構成され、その上端には、当該平行移動軸１２０を回転操作するための操作部１２０ａが設けられている。また、上壁面１１７の前端側は、前方に延設されており、その先端部分は、下方にほぼ直角に折曲されて複数（実施形態中では、３つ）の押圧爪部１２１が形成されている。
【００５３】
そして、押圧固定部材１０３は、上壁面１１１のネジ穴に対する捻じ込み及び捻じ込み解除が可能な平行移動軸１２０を介してスライド部材１０２の上壁面１１１に取り付けられることで、上壁面１１７が上壁面１１１に対して常に平行な状態で移動（平行移動）可能に設けられる。また、このような取付状態において、押圧固定部材１０３の上壁面１１７は、水平な支承板７の上面に対して傾斜面となるスライド部材１０２の上壁面１１１と常に平行な状態となるため、上壁面１１１と同様に後方から前方に向けた下り傾斜面として配置される。
【００５４】
なお、このように押圧固定部材１０３の上壁面１１７が後方から前方に向けた下り傾斜面として支承板７上に配置されることで、上壁面１１７上における平行移動軸１２０の操作部１２０ａが設置空間１０の前方に向かって若干傾斜した状態で配置される。ところで、後で詳述する外枠押込機構１００による外枠９の固定作業を行う場合、遊技島台１の外側から外枠９の枠内空間に身を乗り入れて作業を行うものであるが、このような作業を行うときには、平行移動軸１２０の操作部１２０ａが前方に若干傾斜されていることで、操作部１２０ａを回転操作し易くなっている。
【００５５】
しかして、以上説明した外枠押込機構１００によって外枠９の下側部分を設置空間１０内に固定する場合、先ず、外枠９を設置空間１０の前方から挿し入れる。このとき、押圧固定部材１０３は、平行移動軸１２０の捻じ込み解除によって、スライド部材１０２から遠ざかる方向に平行移動され、押圧爪部１２１と支承板７との間隔が外枠９の下辺部分の厚さ寸法よりも大きくとられることで、外枠９の設置空間１０内への挿入を押圧爪部１２１が阻害しない位置に移動されている。また、スライド部材１０２は、スライド移動軸１０９の捻じ込み解除によって後方向にスライド移動されて、外枠９の設置空間１０内への挿入を阻害しない位置に移動されている。
【００５６】
その後、設置空間１０内に外枠９が挿入されると共に、該外枠９の前端（装飾カバー体１１の前面）が外枠支持機構と当接するように配置されると、スライド部材１０２は、スライド移動軸１０９の捻じ込みによって前方向にスライド移動されて、当接部１１０ａが外枠支持機構との間で外枠９の下辺部分を挟持固定する。また、このような外枠９の前後方向での挟持固定に加えて、平行移動軸１２０の捻じ込みによって、押圧固定部材１０３をスライド部材１０２に近づく方向に平行移動し、最終的に、押圧爪部１２１が外枠９の下辺上面に刺し込まれながら当該下辺上面を下方に押し込む位置まで押圧固定部材１０３を平行移動させる。これにより、押圧固定部材１０３（押圧爪部１２１）と支承板７との間で上下方向にも外枠９の下辺を挟持固定する。
【００５７】
ところで、上記したように支承板７との間で外枠９の下辺を挟持固定する押圧固定部材１０３の上壁面１１７は、後方から前方に向けた下り傾斜面となるスライド部材１０２の上壁面１１１に対して常に平行な状態で移動（平行移動）するようになっている。このため、上壁面１１７の前端で下方にほぼ直角に折曲して設けられた押圧爪部１２１は、外枠９の下辺部分の厚さ寸法に関わらず、外枠９を一定の押し込み角度で押し込むことになるので、押圧爪部１２１によって外枠９を押し込む強さ（遊技機の固定強度）を一定にすることができ、その結果、下辺部分の厚さ寸法に関わらず遊技機を確実に固定することができる。
【００５８】
また、押圧爪部１２１で外枠９の平坦面となる下辺上面（下辺部分の内側面）を押圧固定する構成において、押圧爪部１２１は、下辺上面に刺し込まれながら当該下辺上面を前方から後方に向けて斜め方向に押圧するようになっている。このため、ねかせ角度を設けることで外枠９の下辺部分の前端側下面に隙間が生じる構成においても、下辺部分に対して垂直方向にのみ押し込みを行うのではなく、押圧爪部１２１が下辺部分に刺し込まれた状態で前方から後方に向けての押し込みも同時に行うので、遊技者側から引張力がかかるような場合でも強固に遊技機を固定することができる。
【００５９】
以上のように、本実施形態の構成によれば、遊技機（外枠９）を設置空間１０内に設置する場合、先ず、支持板２３を外枠９の下辺前面の支持を解除した状態に移動させてから、外枠９を設置空間１０に対して前方から水平方向に挿入する。そして、外枠９が設置空間１０内に配置された状態で、外枠９の下辺前面を支持するように支持板２３を移動し、次いで、外枠９の下辺裏面を前方へ押圧するようにスライド押込板３２をスライド移動させて支持板２３とスライド押込板３２との間で外枠９を挟持する。これにより、一側端が回転自在に軸支された回動ブラケットに外枠９を装着したり、傾斜状態の外枠９をその場で起立させて設置空間１０内に設置する必要がないので、広い設置空間１０を設けることなく設置空間１０内への遊技機の設置を可能にすると共に遊技機の取り付け及び取り外しの作業性を高めることができる。また、支持板２３とスライド押込板３２との間で挟持された外枠９の下辺部分は、下側固定手段によって固定されるので、遊技島台１に設置される全ての遊技機を均等に強い保持力で固定することができる。
【００６０】
また、支持板２３を下部島枠５の上面で外枠９の左右方向にスライド移動可能に取り付けるスライドレール部材２４を備えることで、外枠９の下辺前面を支持した状態と当該支持を解除した状態との間で支持板２３を移動する構成を簡単な構造で具現化することができる。
【００６１】
また、スライド押込板３２が外枠９の下辺部分の裏面を押圧する方向に弾性力で付勢しながら当該スライド押込板３２を保持する下側弾性固定手段（クランプ部材３１、連結部材３４、スライド規制バネ３６、係止片３９）によって下側固定手段を構成する。これにより、支持板２３とスライド押込板３２との間で外枠９を挟持した状態において、スライド押込板３２は、下側弾性固定手段によって外枠９の下辺裏面を押圧する方向に付勢されながら保持されるので、遊技島台に設置される全ての遊技機を均等に強い保持力で固定することができる。
【００６２】
また、外枠９の下辺部分の内側面の平坦面を押圧固定する位置と当該平坦面の押圧固定を解除する位置との間で平行移動が可能な下側押圧固定手段（押圧固定部材１０３）によって下側固定手段を構成する。これにより、支持板２３と下側押圧挟持部材としてのスライド部材１０２との間で外枠９を挟持した状態において、下側押圧固定手段で外枠９の下辺部分の内側面の平坦面を押圧固定することができるので、遊技島台に設置される遊技機を強い保持力で固定することができる。
【００６３】
また、支持板２３、スライド押込板３２、及び下側固定手段（クランプ部材３１、連結部材３４、スライド規制バネ３６、係止片３９）によって外枠９の下辺部分を挟持固定する構成に加えて、スライド板４２、外枠押込板４４、及び上側固定手段（クランプ部材４３）によって外枠９の上辺部分も同時に挟持固定する構成にできる。例えば、外枠９の上辺上面に対して下方への押圧力を加えることで遊技機の上側部分を固定する構成では、遊技機の前面に設けられる開閉扉を開閉する毎に外枠９の上辺上面を押圧する箇所が微妙にずれていき、遊技機の保持力が徐々に弱まっていく傾向にあるが、本実施形態の構成によれば、外枠９の上辺部分を前後方向で挟持固定することで、開閉扉の開閉に伴う保持力の低下を抑制することができる。また、外枠９の上辺前面を後方へ押圧する外枠押込板４４は、上部島枠４に対して着脱可能に設けられるので、外枠９の下辺部分に加えて外枠９の上辺部分も同時に挟持固定する構成としても、設置空間１０に対して外枠９を前方から水平方向に着脱可能となり、広い設置空間１０を設けることなく設置空間１０内への遊技機の設置を可能にすると共に遊技機の取り付け及び取り外しの作業性を高めることができる。
【００６４】
また、ベース板４１を介して、スライド板４２、外枠押込板４４、及び上側固定手段を一体的に外枠９の前後方向にスライド移動可能に取り付けると共に、スライド移動調整手段（取付フランジ４６、スライド移動軸４７、スライド係合片４８）によってスライド板４２、外枠押込板４４、及び上側固定手段のスライド移動量を調整可能に設ける。これにより、スライド板４２、外枠押込板４４、及び上側固定手段によって挟持固定された外枠９の上辺部分を前後方向にスライド移動させることで、遊技機の傾斜角度を調整することができる。
【符号の説明】
【００６５】
１  遊技島台
２  玉貸機
４  上部島枠
５  下部島枠
８  間仕切り
９  外枠
１０  設置空間
２０  下側遊技機固定装置（遊技機固定装置）
２１  外枠支持機構
２２  外枠押込機構
２３  支持板（下側支持部材）
２４  スライドレール部材
３０  ベース板
３１  クランプ部材（下側固定手段、下側弾性固定手段）
３２  スライド押込板（下側押圧挟持部材）
３２ａ  押込部
３４  連結部材（下側固定手段、下側弾性固定手段）
３６  スライド規制バネ（下側固定手段、下側弾性固定手段）
３７  係合爪
３８  クランプ操作部
３９  係止片（下側固定手段、下側弾性固定手段）
３９ａ  係止穴
４０  上側遊技機固定装置（遊技機固定装置）
４１  ベース板（スライド移動取付板）
４２  スライド板（上側支持部材）
４３  クランプ部材（上側固定手段）
４４  外枠押込板（上側押圧挟持部材）
４６  取付フランジ（スライド移動調整手段）
４７  スライド移動軸（スライド移動調整手段）
４８  スライド係合片（スライド移動調整手段）
４９ａ，４９ｂ  支持部
５２  基板部
５４  押込部
５５  係止片部
１００  外枠押込機構
１０１  取付ベース
１０２  スライド部材（下側押圧挟持部材）
１０３  押圧固定部材（下側固定手段、下側押圧固定手段）
１０９  スライド移動軸
【図１】
0005482468.tif 000002
【図２】
0005482468.tif 000003
【図３】
0005482468.tif 000004
【図４】
0005482468.tif 000005
【図５】
0005482468.tif 000006
【図６】
0005482468.tif 000007
【図７】
0005482468.tif 000008
【図８】
0005482468.tif 000009
【図９】
0005482468.tif 000010
【図１０】
0005482468.tif 000011
【図１１】
0005482468.tif 000012
【図１２】
0005482468.tif 000013
【図１３】
0005482468.tif 000014
【図１４】
0005482468.tif 000015
【図１５】
0005482468.tif 000016